(57)【特許請求の範囲】
【請求項１】
桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において衿側寄りの頭縁を延長させた頭側外縁部と、頭側寄りの衿縁を延長させた衿側外縁部と、前記した頭側外縁部と衿側外縁部との間の突き合わせ縁部とからなり、
他方、尻側の切り込みに肉薄の被覆片が桟瓦本体の表面寄りに設けられ、
該被覆片の外縁が尻側の切り込み内において尻側寄りの桟縁を延長させた桟側外縁部と、桟側寄りの尻縁を延長させた尻側外縁部と、前記した桟側外縁部と尻側外縁部との間の突き合わせ縁部とからなることを特徴とする桟瓦。
【請求項２】
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とする請求項１記載の桟瓦。
【請求項３】
桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において頭側寄りの衿縁を延長させた衿側外縁部と、衿側外縁部と衿側寄りの頭縁部との間の突き合わせ縁部とからなり、
他方、尻側の切り込みに肉薄の被覆片が桟瓦本体の表面寄りに設けられ、
該被覆片の外縁が尻側の切り込み内において尻側寄りの桟縁を延長させた桟側外縁部と、桟側寄りの尻縁を延長させた尻側外縁部と、前記した桟側外縁部と尻側外縁部との間の突き合わせ縁部とからなることを特徴とする桟瓦。
【請求項４】
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とする請求項３記載の桟瓦。
【請求項５】
桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において頭側寄りの衿縁を延長させた衿側外縁部と、衿側外縁部と衿側寄りの頭縁部との間の突き合わせ縁部とからなり、
他方、尻側の切り込みに肉薄の被覆片が桟瓦本体の表面寄りに設けられ、
該被覆片の外縁が尻側の切り込み内において桟側寄りの尻縁を延長させた尻側外縁部と、尻側外縁部と尻側寄りの桟縁部との間の突き合わせ縁部とからなることを特徴とする桟瓦。
【請求項６】
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とする請求項５記載の桟瓦。
【請求項７】
桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において衿側寄りの頭縁を延長させた頭側外縁部と、頭側寄りの衿縁を延長させた衿側外縁部と、前記した頭側外縁部と衿側外縁部との間の突き合わせ縁部とからなり、
他方、尻側の切り込みに肉薄の被覆片が桟瓦本体の表面寄りに設けられ、
該被覆片の外縁が尻側の切り込み内において桟側寄りの尻縁を延長させた尻側外縁部と、尻側外縁部と尻側寄りの桟縁部との間の突き合わせ縁部とからなること特徴とする桟瓦。
【請求項８】
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とする請求項７記載の桟瓦。
【発明の詳細な説明】
【０００１】
【発明の属する技術分野】
この発明は、桟瓦に関する。
さらに詳しくいえば、桟瓦１枚当たりの有効活用面積を広くし、併せて雨水の漏水の抑制を可能とする桟瓦に関する。
【０００２】
【従来の技術】
屋根に使用される数多い種類の瓦の中でも桟瓦はとりわけ使用数が多い。
したがって、瓦屋根の総重量は桟瓦により大きく影響を受けることはいうまでもない。
【０００３】
瓦屋根の機能を損なうことなく、瓦屋根の総重量を軽減することは予てこの業界に要請されているものの、伝統的な桟瓦については未だ問題が少なくない。
【０００４】
また、頭側の切り込みと尻側の切り込みの嵌合部からとりわけ風雨の激しい場合に雨水が浸入し、桟瓦の下方に敷設された野地材などを損傷させることが少なくないという問題があった。
【０００５】
この種の一般的な従来例を図１７ないし図２０を参照して具体的に説明する。和形桟瓦Ｗ（日本工業規格Ａ５２０８〔平成８年１１月改正前〕では「和形桟がわら」と称されているが、この明細書では以下単に「桟瓦」と称し、断りのない限り単に符号を「Ｗ」と表示する）は、図１８に示されるように山と谷が設けられ、断面が略波形状に形成されている。
【０００６】
そして、桟瓦Ｗは一般的に、山側の端寄りが桟、谷側の端寄りが衿または差込み、また屋根に葺いた際の軒側に位置する端寄りが頭、棟側の端寄りが尻と称されているから、以下これらの用語に基づいて従来例およびこの発明の桟瓦Ｗを説明する。
また、この明細書において、用語「頭縁」、「尻縁」、「桟縁」および「衿縁」とは、それぞれの端を観念するものであり、断りのない限り前記した観念で使用する。
【０００７】
桟瓦Ｗを屋根に葺く際に、隣接する瓦Ｗを相互に連結するため、頭と衿によって形成される隅部と尻と桟とによって形成される隅部にそれぞれ方形状の頭側の切り込みＸと尻側の切り込みＹが形成されることは知られるとおりである（図１７および図１８を参照）。
【０００８】
そして、頭側の切り込みＸが設けられることにより、頭側の切り込みＸの内側には、桟瓦Ｗの長さ方向（頭側から尻側に至る方向をいう）に縦辺Ｘｖが、幅方向（桟側から衿側に至る方向をいう）に幅辺Ｘｈが形成される（図１８を参照）。
また、尻側の切り込みＹの内側には、桟瓦Ｗの長さ方向に縦辺Ｙｖが、幅方向に幅片Ｙｈが形成される（図１８を参照）。
【０００９】
そして、これらの桟瓦Ｗは図１９に示されるように、少なくとも４枚が葺かれることにより、最小１単位の瓦屋根が構成されることも知られるとおりである。
【００１０】
そこで、４枚１単位とする桟瓦Ｗによる屋根葺きについて説明すると、第１の桟瓦Ｗａの衿側に、第２の桟瓦Ｗｂの桟側が重ねられ、第１の桟瓦Ｗａの尻側に第３の桟瓦Ｗｃの頭側が重ねられるとともに、第２の桟瓦Ｗｂの尻側の切り込みＹｂと第３の桟瓦Ｗｃの頭側の切り込みＸｃが両切り込みＹｂ、Ｘｃ間に間隙を生ずることのないように互いに嵌合され、第４の桟瓦Ｗｄの桟側が第３の桟瓦Ｗｃの衿側に重ねられるとともに、第４の桟瓦Ｗｄの頭側が第２の桟瓦Ｗｂの尻側に重ねられることにより伝統的な屋根葺きが行われている（図１９を参照）。
【００１１】
かくして、第１の桟瓦Ｗａの衿側と第２の桟瓦Ｗｂの桟側の重なりにより、桟と衿とによる重ね部Ｓｍが形成される。
この重ね部Ｓｍの幅は前記した幅辺Ｘｈまたは幅辺Ｙｈに相当し、また重ね部Ｓｍの長さは桟瓦Ｗの長さから前記した縦辺Ｘｖ、Ｙｖを差し引いた長さに相当し、第３の桟瓦Ｗｃと第４の桟瓦Ｗｄとの桟と衿によっても同じように重ね部Ｓｍが形成される（図１９を参照）。
【００１２】
他方、第１の桟瓦Ｗａの尻側と第３の桟瓦Ｗｃの頭側の重なりにより、頭と尻による重ね部Ｓｎが形成される。
この重ね部Ｓｎの幅は桟瓦Ｗの幅と同一であり、また重ね部Ｓｎの長さは両者の切り込みＸｃ、Ｙｂが互いに噛み合うことにより形成されるから、縦辺ＸｖとＹｖを加算した長さに相当し、この重ね部Ｓｎの面積は、桟瓦Ｗの幅と縦辺ＸｖとＹｖを加算した長さから算出される（図１９を参照）。
【００１３】
この場合、第３の桟瓦Ｗｃの頭側の切り込みＸｃと第２の桟瓦Ｗｂの尻側の切り込みＹｂは互いに対応するように形成されているから、両者の切り込みＸｃ、Ｙｂが互いに嵌合されることにより両桟瓦Ｗｂ、Ｗｃを妄動させないようにしていることは知られるとおりである。
【００１４】
この点についてさらに詳しく説明すると、第３の桟瓦Ｗｃの頭側の切り込みＸｃの幅辺Ｘｈと第２の桟瓦Ｗｂの尻側の切り込みＹｂの幅片Ｙｈが互いに当接される。
【００１５】
したがって、第３の桟瓦Ｗｃの頭縁は、第２の桟瓦Ｗｂの尻側の切り込みＹｂの位置よりも第１の桟瓦Ｗａの頭側に臨んでいる。
そして、第３の桟瓦Ｗｃの頭縁と第２の桟瓦Ｗｂの尻側の切り込みＹｂの幅辺Ｙｈとの距離は第３の桟瓦Ｗｃの頭側の切り込みＸｃの縦辺Ｘｖにほぼ等しく設定される。
【００１６】
一方、第２の桟瓦Ｗｂの尻縁は、第３の桟瓦Ｗｃの頭側の切り込みＸｃの位置よりも第４の桟瓦Ｗｄの尻側に臨んでいる。
そして、第２の桟瓦Ｗｂの尻縁と第３の桟瓦Ｗｃの頭側の切り込みＸｃの幅辺Ｘｈとの距離は第２の桟瓦Ｗｂの尻側の切り込みＹｂの縦辺Ｙｖにほぼ等しく設定される。
【００１７】
このようにして屋根葺きされた４枚の桟瓦Ｗａ、Ｗｂ、Ｗｃ、Ｗｄが、瓦屋根を構成する最小単位となり、この最小単位の瓦屋根が連続的に設けられることにより家屋などの瓦屋根が得られる。
【００１８】
したがって、第１の桟瓦Ｗａの尻側に第３の桟瓦Ｗｃの頭側が重ねられるとともに、第２の桟瓦Ｗｂの尻側の切り込みＹｂと第３の桟瓦Ｗｃの頭側の切り込みＸｃが噛み合うように嵌合され、また、第２の桟瓦Ｗｂの衿側に第４の桟瓦Ｗｄの桟側を重ねることにより、桟瓦Ｗの妄動を抑制でき、切り込みＹｂ、Ｘｃに間隙を生ずることが少ないので雨水の浸入を抑制できる点で所期の目的を達成できた。
【００１９】
しかし、これらの両重ね部Ｓｍ、Ｓｎの面積が小さいほど桟瓦Ｗ１枚当たりの有効活用面積の増加を図ることができるにもかかわらず、２種類の重ね部Ｓｍ、Ｓｎにより、重ねられる面積の占める割合が比較的大きくなることは止むを得ないものとされ、桟瓦Ｗ１枚当たりの有効活用面積に制約を受けているのが実情である。
【００２０】
その上、頭側の切り込みＸと尻側の切り込みＹの嵌合部上には、第４の桟瓦Ｗｄが重ねられ、かつ第１の桟瓦Ｗａの尻と衿の隅部が嵌合部の下方に存在しているものの、切り込みＸ、Ｙを形成する幅辺Ｘｈ、Ｙｈおよび縦辺Ｘｖ、Ｙｖが互いに当接されるに止まるから、これらの当接部によって生ずる間隙は一般的に小さいとはいえ依然として残存することを回避できず、風雨が激しい場合には、とりわけ、その残存する間隙を通じて風雨が第１の桟瓦Ｗａの尻と衿の隅部寄りを越えて第３の桟瓦Ｗｃの下方に敷設された野地材Ｎ側へ浸入するおそれが少なくなかった（図２０を参照）。
【００２１】
上記の問題点についてさらに言及すると、第１の桟瓦Ｗａと第２の桟瓦Ｗｂの頭側を整然と統一させ、同様に第３の桟瓦Ｗｃと第４の桟瓦Ｗｄの頭側を揃えることが要請されるが、この場合、第３の桟瓦Ｗｃの頭側の切り込みＸｃと第２の桟瓦Ｗｂの尻側の切り込みＹｂを嵌合させ、第２の桟瓦Ｗｂの尻側に第４の桟瓦Ｗｄの頭側を重ねるとともに第３の桟瓦Ｗｃの衿側に第４の桟瓦Ｗｂの桟側を重ねなければならない。
【００２２】
したがって、必然的に第１の桟瓦Ｗａと第３の桟瓦Ｗｃの尻と頭による重ね部Ｓｎの長さ（頭側から尻側に向かう方向の長さ）は、前記したとおり第３の桟瓦Ｗｃの頭側の切り込みＸｃの縦辺Ｘｖと第２の桟瓦Ｗｂの尻側の切り込みＹｂの縦辺Ｙｖを加算した長さにほぼ等しくなる。
【００２３】
このことは、桟瓦Ｗの全面積に対して頭と尻による重ね部Ｓｎの占める面積が増大することになり、桟と衿による重ね部Ｓｍの面積と相待って単位面積当たりに必要な桟瓦Ｗの枚数（たとえば３．３平方メ−トル当たりの葺き枚数）が増加する結果、家屋に対する荷重が大きくなり、瓦屋根の荷重に抗する家屋の構造が必要になるという問題を生じていた。
【００２４】
他の例として実公平７−１４５１９号公報の第７図には、頭側の切り込みの裏面寄りに肉薄の略三角形の段落部８が設けられ、他方、尻側の切り込みの表面寄りに前記した段落部８に対応した薄肉の略三角部分５が形成された桟瓦が記載され、隣接する桟瓦の前記した三角部分５の裏面に段落部８が差し込まれることにより、切り込みの嵌合部分における雨水の浸入の抑制を図るようにしている。
【００２５】
しかし、この例では、切り込みの嵌合部分における雨水の浸入の抑制を図ることができるとしても、屋根葺きにおける桟瓦の有効活用面積の増加を図り、もって瓦屋根の重量軽減を図ることについては一切言及されていない。
【００２６】
そこで、前記した問題点の解決のため、本願出願人は、先に平成８年特許願第１８１１６８号の特許出願をしたので、その発明を開示すると、頭と衿によって形成される隅部に略方形の差込片が裏面寄りに設けられ、尻と桟によって形成される隅部に前記の差込片に対応した被覆片が表面寄りに設けられてなる桟瓦である。
【００２７】
そして、その桟瓦が少なくとも４枚設けられ、第１の桟瓦の衿側に第２の桟瓦の桟側が重ねられ、第１の桟瓦の尻側に第３の桟瓦の頭側が重ねられるとともに、第２の桟瓦の被覆片の下方に第３の桟瓦の差込片が差し込まれ、第２の桟瓦の尻側に第４の桟瓦の頭側が重ねられ、第３の桟瓦の衿側に第４の桟瓦の桟側が重ねられてなることにより、頭と尻とによる重ね部における頭側から尻側に至る面積を従来に比較して、差込片または被覆片の長さに等しい分の長さと桟瓦の幅に乗じて算出される面積分だけ少なくでき、桟瓦の長さ方向における有効活用面積の増加を図ることにより、瓦屋根の単位面積に必要な桟瓦数の減少化を図ることができるようにしたから、よって瓦屋根の軽量化に寄与するなどの構成および作用効果が記載されている。
【００２８】
したがって、従来の伝統的な桟瓦Ｗや実公平７−１４５１９号公報記載の考案による桟瓦に比較して１枚当たりの桟瓦の有効活用面積の増加を可能にした点や切り込みによる嵌合部からの雨水の浸入を抑制できる点で評価できる。
【００２９】
しかし、頭側の切り込みにその全面積を埋めるようにした略方形の肉薄の差込片が、また、尻側の切り込みにその全面積を埋めるようにした略方形の肉薄の被覆片が設けられ、差込片と被覆片の外側端が切り込みの最大面積を占めて形成されているため（略方形である）、これらが肉薄に形成されていることと相俟って、この桟瓦の生産工程や流通過程において、差込片と被覆片の外側縁がとりわけ損傷を受け易いという問題点があった。
成形から焼成に至る間の工程において搬送による物理的な損傷を受けるほか、とりわけ、乾燥工程や焼成工程の熱的操作を要因として差込片と被覆片の外側端が変形するおそれがあった。
【００３０】
更に、差込片と桟瓦本体との境界を形成する内縁や被覆片と桟瓦本体との境界を形成する内縁がそれぞれ直角に形成されているため、内縁の直角部分から乾燥工程や焼成工程の熱的操作を要因とする亀裂が発生するおそれがあった。
【００３１】
【発明が解決しようとする課題】
この発明が解決しようとする課題は、従来の桟瓦にあっては、屋根葺きにおいて桟瓦の１枚当たりの有効活用面積に制約を受け、その活用面積が減少する結果、瓦屋根の重量増加を回避できないほか、差込片や被覆片が生産工程において損傷を受けることや変形が発生するおそれがある点などである。
この発明の目的は、桟瓦の屋根葺きにおける有効活用面積を図り、瓦屋根の重量軽減に寄与することと併せて生産工程における差込片と被覆片の損傷や変形を抑制することにある。
【００３２】
さらにこの発明の他の目的は、差込片と桟瓦本体との境界である内縁や被覆片と桟瓦本体との境界である内縁に生産工程時に発生し勝ちな亀裂を抑制することにある。
【００３３】
【課題を解決するための手段及び作用効果】
請求項１記載の発明の桟瓦は、桟瓦本体に頭、尻、桟および衿が備えられるとともに、頭側の切り込みおよび尻側の切り込みを有する桟瓦において、頭側の切り込みに肉薄の差込片が桟瓦本体の裏面寄りに設けられ、該差込片の外縁が頭側の切り込み内において衿側寄りの頭縁を延長させた頭側外縁部と、頭側寄りの衿縁を延長させた衿側外縁部と、前記した頭側外縁部と衿側外縁部との間の突き合わせ縁部とからなり、他方、尻側の切り込みに肉薄の被覆片が桟瓦本体の表面寄りに設けられ、該被覆片の外縁が尻側の切り込み内において尻側寄りの桟縁を延長させた桟側外縁部と、桟側寄りの尻縁を延長させた尻側外縁部と、前記した桟側外縁部と尻側外縁部との間の突き合わせ縁部とからなることを特徴とするものである。
【００３４】
請求項２記載の発明の桟瓦は、請求項１の桟瓦において、
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とするものである。
【００３５】
請求項３記載の発明の桟瓦は、桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において頭側寄りの衿縁を延長させた衿側外縁部と、衿側外縁部と衿側寄りの頭縁部との間の突き合わせ縁部とからなり、
他方、尻側の切り込みに肉薄の被覆片が桟瓦本体の表面寄りに設けられ、
該被覆片の外縁が尻側の切り込み内において尻側寄りの桟縁を延長させた桟側外縁部と、桟側寄りの尻縁を延長させた尻側外縁部と、前記した桟側外縁部と尻側外縁部との間の突き合わせ縁部とからなることを特徴とするものである。
【００３６】
請求項４記載の発明の桟瓦は、請求項３の桟瓦において、
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とするものである。
【００３７】
請求項５記載の発明の桟瓦は、桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において頭側寄りの衿縁を延長させた衿側外縁部と、衿側外縁部と衿側寄りの頭縁部との間の突き合わせ縁部とからなり、
他方、尻側の切り込みに肉薄の被覆片が桟瓦本体の表面寄りに設けられ、
該被覆片の外縁が尻側の切り込み内において桟側寄りの尻縁を延長させた尻側外縁部と、尻側外縁部と尻側寄りの桟縁部との間の突き合わせ縁部とからなることを特徴とするものである。
【００３８】
請求項６記載の発明の桟瓦は、請求項５の桟瓦において、
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とするものである。
【００３９】
請求項７記載の発明の桟瓦は、桟瓦本体に頭、尻、桟および衿が備えられるとともに、頭側の切り込みおよび尻側の切り込みを有する桟瓦において、
頭側の切り込みに肉薄の差込片が桟瓦本体の裏面寄りに設けられ、
該差込片の外縁が頭側の切り込み内において衿側寄りの頭縁を延長させた頭側外縁部と、頭側寄りの衿縁を延長させた衿側外縁部と、前記した頭側外縁部と衿側外縁部との間の突き合わせ縁部とからなり、
他方、尻側の切り込みに肉薄の被覆片が桟瓦本体の表面寄りに設けられ、
該被覆片の外縁が尻側の切り込み内において桟側寄りの尻縁を延長させた尻側外縁部と、尻側外縁部と尻側寄りの桟縁部との間の突き合わせ縁部とからなること特徴とするものである。
【００４０】
請求項８記載の発明の桟瓦は、請求項７の桟瓦において、
差込片と桟瓦本体の境界を形成する内縁が被覆片の外縁にほぼ対応して設けられるとともに、被覆片と桟瓦本体の境界を形成する内縁が差込片の外縁にほぼ対応して設けられてなることを特徴とするものである。
【００４１】
ここで、差込片の外縁が頭側の切り込み内において頭側外縁部と、衿側外縁部と、頭側外縁部と衿側外縁部との間の突き合わせ縁部とからなるとは、先願（平成８年特許願第１８１１６８号）の発明では、差込片の外縁が頭側外縁部と衿側外縁部の延長線とこれらの延長線の交点により切り込みの全面積を占めて略方形を呈していたものを、本願発明はこれらの両延長線の外側端を結ぶようにして形成され、少なくとも前記した交点のない構成をいう。
【００４２】
また、被覆片の外縁が尻側外縁部と、桟側外縁部と、尻側の切り込み内であって、尻側外縁部と桟側外縁部との間の突き合わせ縁部とからなるとは、先願（平成８年特許願第１８１１６８号）の発明では、被覆片の外縁が頭側外縁部と衿側外縁部との延長線のこれらの延長線の交点により切り込みの全面積を占めて略方形を呈していたものを、本願発明はこれらの両延長線の外側端を結ぶようにして形成され、少なくとも前記した交点のない構成をいう。
【００４３】
ここで、差込片と桟瓦本体の境界を形成する内縁が被覆片の外縁にほぼ対応し、被覆片と桟瓦本体の境界を形成する内縁が差込片の外縁にほぼ対応して設けられてなるとは、桟瓦の屋根葺き時に桟瓦の尻側の切り込み内に設けられた被覆片の下方へ別の桟瓦の差込片を差し込んだ際に、前記した差込片の内縁と被覆片の外縁が互いに間隙を少なくして向き合うことにより、これらの桟瓦がこれらの差込片と被覆片により互いに妄動することなく、先願の切り込みの内側には直角部分が残存していたものをこの発明では、直角部分をなくした内縁を形成することにより、桟瓦本体に向けて発生し勝ちな亀裂を抑制できるようにしてなるものである。
【００４４】
この発明の請求項１記載の桟瓦は、上記のように構成されているから、４枚の桟瓦を最少単位の瓦屋根の構成としたとき、第１の桟瓦の衿側に第２の桟瓦の桟側を重ね、第３の桟瓦の頭側を第１の桟瓦の尻側に重ねるとともに、第２の桟瓦の被覆片の下方に第３の桟瓦の差込片を差し込み、第２の桟瓦の尻側に第４の桟瓦の頭側を重ね、第３の桟瓦の衿側に第４の桟瓦の桟側を重ねることにより、桟と衿によって形成される重ね部の面積については従来例と変化しない。
【００４５】
しかし、この発明では、頭側の差込片を尻側の被覆片の下方へ単に差し込むことにより重ねられ、従来のように両切り込みを噛み合うように嵌合させることがないから、桟瓦の頭と尻によって形成された重ね部の面積を従来例に比較して半減できる（図１１を参照）。
【００４６】
よって、桟瓦の長さ方向に活用できる面積の増加に寄与できる。
したがって、瓦屋根の単位面積に必要な桟瓦数の減少化を図ることができ、桟瓦の使用数の軽減化を図ることができることのほか、桟瓦の生産工程において差込片や被覆片の外縁に、成形から焼成に至る搬送中に発生し勝ちな物理的な損傷や、乾燥工程や焼成工程の熱的操作を要因とする変形を抑制することができる。
【００４７】
この発明の請求項２記載の桟瓦は、前記のように構成されているから、請求項１記載の桟瓦の奏する作用効果のほかに、差込片と桟瓦本体の境界を形成する内縁が被覆片の外縁にほぼ対応して設けられるとともに、被覆片と桟瓦本体の境界を形成する内縁が差込片の外縁にほぼ対応して設けられてなるから、桟瓦の屋根葺きに隣接する桟瓦の尻側の被覆片の下方へ別の桟瓦の差込片を差し込んだ際に、これらの差込片と被覆片により桟瓦の妄動を抑制でき安定性を図ることができる。
【００４８】
また、差込片と被覆片の内縁はそれぞれの外縁にほぼ対応して設けられることにより、内縁に直角部分が存在しないので桟瓦の生産工程における乾燥や焼成による内縁の直角部分からの亀裂を生じないようにできる。
【００４９】
この発明の請求項３記載の桟瓦は、前記のように構成されているから、請求項１記載の桟瓦の奏する作用効果のほかに、差込片の外縁が衿側外縁部と衿側寄りの頭縁部との間の突き合わせ縁部とからなり、頭側外縁部がないので差込片の頭縁寄りが、成形から焼成に至る搬送中に発生し勝ちな物理的な損傷や、乾燥工程や焼成工程の熱的操作を要因とする変形を一層抑制することができる。
【００５０】
この発明の請求項４記載の桟瓦は、前記のように構成されているから、請求項１および２記載の桟瓦の奏する作用効果のほかに、請求項３記載のように、頭側外縁部がないので差込片の頭縁寄りが、成形から焼成に至る搬送中に発生し勝ちな物理的な損傷や、乾燥工程や焼成工程の熱的操作を要因とする変形を一層抑制することができる。
【００５１】
この発明の請求項５記載の桟瓦は、前記のように構成されているから、請求項１および３記載の桟瓦の奏する作用効果のほか、被覆片の外縁が尻側外縁部と尻側寄りの桟縁部との間の突き合わせ縁部とからなり、桟側外縁部がないので被覆片の桟縁寄りが、成形から焼成に至る搬送中に発生し勝ちな物理的な損傷や、乾燥工程や焼成工程の熱的操作を要因とする変形を一層抑制することができる。
【００５２】
この発明の請求項６記載の桟瓦は、前記のように構成されているから、請求項１、２、３および４記載の桟瓦の奏する作用効果のほか、請求項５記載のように、桟側外縁部がないので被覆片の桟縁寄りが、成形から焼成に至る搬送中に発生し勝ちな物理的な損傷や、乾燥工程や焼成工程の熱的操作を要因とする変形を一層抑制することができる。
【００５３】
この発明の請求項７記載の桟瓦は、前記のように構成されているから、請求項１記載の桟瓦の奏する作用効果のほか、請求項５、６記載のように、桟側外縁部がないので被覆片の桟縁寄りが、成形から焼成に至る搬送中に発生し勝ちな物理的な損傷や、乾燥工程や焼成工程の熱的操作を要因とする変形を一層抑制することができる。
【００５４】
この発明の請求項８記載の桟瓦は、前記のように構成されているから、請求項１および２記載の桟瓦の奏する作用効果のほか、請求項５、６および７記載のように、桟側外縁部がないので被覆片の桟縁寄りが、成形から焼成に至る搬送中に発生し勝ちな物理的な損傷や、乾燥工程や焼成工程の熱的操作を要因とする変形を一層抑制することができる。
【００５５】
前記した請求項１ないし８記載の発明の構成の概略を表したものが次の「表１」である。
【００５６】
【表１】
0003552009.tif 000002
【００５７】
「表１」に示した発明の構成、差込片の外縁、被覆片の外縁および内縁の特定を表した符号の説明は、次のとおりである。
Ａ  切り込みのある桟瓦の基本要素（３０、Ｘ、Ｙ）
Ｂ  差込片（２８）
Ｃ  差込片の外縁（３２）
頭側外縁部（３２ａ）
衿側外縁部（３２ｂ）
突き合わせ縁部（３２ｃ）
Ｄ  被覆片（４０）
Ｅ  被覆片の外縁（４２）
尻側外縁部（４２ａ）
桟側外縁部（４２ｂ）
突き合わせ縁部（４２ｃ）
Ｆ  桟瓦
Ｇ  差込片の外縁（３２）
衿側外縁部（３２ｂ）
突き合わせ縁部（３２ｃ）
Ｉ  被覆片の外縁（４２）
尻側外縁部（４２ａ）
突き合わせ縁部（４２ｃ）
Ｈ  差込片と被覆片の内縁（４４、４６）
【００５８】
【発明の実施の形態】
この発明の実施の形態に係る桟瓦の組み合わせ構造を図面を参照して説明する。
図１は発明の実施の形態その１の概略を示す桟瓦の頭側の差込片と尻側の被覆片の要部拡大平面図、図２はその２の同要部拡大平面図、図３はその３の同要部拡大平面図、図４はその４の同要部拡大平面図、図５はその５の同要部拡大平面図、図６はその６の同要部拡大平面図、図７はその７の同要部拡大平面図、図８はその８の同要部拡大平面図、図９は実施例に係る桟瓦の表面斜視図、図１０はその裏面斜視図、図１１は４枚の桟瓦による瓦屋根の組み合わせ構造を示す平面図、図１２は図９の差込片付近の要部拡大平面図、図１３は図１０の被覆片付近の要部拡大平面図、図１４は図１１における矢印Ｐ−Ｐ線の縦断面図、図１５は図１１における矢印Ｑ−Ｑ線の縦断面図、図１６は表２における実施例の桟瓦の各寸法を示す参考図、図１７は表２における従来品の桟瓦の各寸法を示す参考図、図１８は従来例の桟瓦の表面斜視図、図１９は従来例の桟瓦４枚による瓦屋根の組み合わせ構造を示す平面図、図２０は図１９における矢印Ｖ−Ｖ線の縦断面図である。
【００５９】
図１ないし図８を参照して、この発明の実施の形態の８種類を説明する。
その１は、図示を省略してあるが、少なくとも桟瓦本体に頭、尻、桟および衿が備えられるとともに、頭側の切り込みおよび尻側の切り込みを有する桟瓦である。
【００６０】
これらの構成は、以下に説明するこの発明の８種類の実施の形態において、共通する構成である。
また、以下の８種類の発明の実施の形態や実施例について言及しない構成は、断りのない限り共通する構成であり、その説明を援用する。
【００６１】
頭側の切り込みに肉薄の差込片２８が桟瓦本体の裏面寄りに設けられている。差込片２８の外縁３２が頭側の切り込み内において衿側寄りの頭縁を延長させた頭側外縁部３２ａと、頭側寄りの衿縁を延長させた衿側外縁部３２ｂと、前記した頭側外縁部３２ａと衿側外縁部３２ｂとの間の突き合わせ縁部３２ｃとから構成されている。
【００６２】
したがって、前記した先願の発明と比較してこの実施の形態の差込片２８の外縁３２は、頭側外縁部３２ａと衿側外縁部３２ｂとの間の突き合わせ縁部３２ｃとから構成され、交点のないものである。
【００６３】
他方、尻側の切り込みに肉薄の被覆片４０が桟瓦本体の表面寄りに設けられている。
被覆片４０の外縁４２が尻側の切り込みＹ内において桟側寄りの尻縁を延長させた尻側外縁部４２ａと、尻側寄りの桟縁を延長させた桟側外縁部４２ｂと前記した尻側外縁部４２ａと桟側外縁部４２ｂとの間の突き合わせ縁部４２ｃとから構成されている。
したがって、前記した先願の発明と比較してこの実施の形態の被覆片４０の外縁４２は、前記した桟側外縁部４２ｂと尻側外縁部３２ａとの間の突き合わせ縁部４２ｃとから構成され、交点のないものである（図１を参照）。
【００６４】
その２は、その１の構成と共通の構成を有するほかに、差込片２８と桟瓦本体の境界を形成する内縁４４が被覆片４０の外縁４２にほぼ対応して設けられるとともに、被覆片４０と桟瓦本体の境界を形成する内縁４６が差込片２８の外縁３２にほぼ対応して設けられてなるものである（図２を参照）。
【００６５】
その３は、差込片２８の外縁３２が頭側の切り込み内において頭側寄りの衿縁を延長させた衿側外縁部３２ｂと、その衿側外縁部３２ｂと衿側寄りの頭縁部３２ｄとの間の突き合わせ縁部３２ｃとからなるものである。
他方、被覆片４０の外縁４２が尻側の切り込み内において尻側寄りの桟縁を延長させた桟側外縁部４２ｂと、桟側寄りの尻縁を延長させた尻側外縁部４２ａと、前記した桟側外縁部４２ｂと尻側外縁部４２ａとの間の突き合わせ縁部４２ｃとからなるものである（図３を参照）。
【００６６】
その４は、その３の構成と共通の構成を有するほかに、差込片２８と桟瓦本体の境界を形成する内縁４４が被覆片４０の外縁４２にほぼ対応して設けられるとともに、被覆片４０と桟瓦本体の境界を形成する内縁４６が差込片２８の外縁３２にほぼ対応して設けられてなるものである（図４を参照）。
【００６７】
その５は、差込片２８の外縁３２が頭側の切り込み内において頭側寄りの衿縁を延長させた衿側外縁部３２ｂと、その衿側外縁部３２ｂと衿側寄りの頭縁部３２ｄとの間の突き合わせ縁部３２ｃとからなるものである。
他方、被覆片４０の外縁４２が尻側の切り込み内において桟側寄りの尻縁を延長させた尻側外縁部４２ａと、その尻側外縁部４２ａと尻側寄りの桟縁部４２ｄとの間の突き合わせ縁部４２ｃとからなるものである（図５を参照）。
【００６８】
その６は、その５の構成と共通の構成を有するほかに、差込片２８と桟瓦本体の境界を形成する内縁４４が被覆片４０の外縁４２にほぼ対応して設けられるとともに、被覆片４０と桟瓦本体の境界を形成する内縁４６が差込片２８の外縁３２にほぼ対応して設けられてなるものである（図６を参照）。
【００６９】
その７は、差込片２８の外縁３２が頭側の切り込み内において衿側寄りの頭縁を延長させた頭側外縁部３２ａと、頭側寄りの衿縁を延長させた衿側外縁部３２ｂと、前記した頭側外縁部３２ａと衿側外縁部３２ｂとの間の突き合わせ縁部３２ｃとからなるものである。
他方、被覆片４０の外縁４２が尻側の切り込み内において桟側寄りの尻縁を延長させた尻側外縁部４２ａと、その尻側外縁部４２ａと尻側寄りの桟縁部４２ｄとの間の突き合わせ縁部４２ｃとからなるものである（図７を参照）。
【００７０】
その８は、その７の構成と共通の構成を有するほかに、差込片２８と桟瓦本体の境界を形成する内縁４４が被覆片４０の外縁４２にほぼ対応して設けられるとともに、被覆片４０と桟瓦本体の境界を形成する内縁４６が差込片２８の外縁３２にほぼ対応して設けられてなるものである（図８を参照）。
【００７１】
【実施例】
この発明の実施例に係る桟瓦１０の構成を図９、図１０を参照して説明すると、知られているように山１４と谷１６が設けられている。
この実施例の桟瓦１０は、ＪＩＳ規格に示されるように谷１６の深さが３５ｍｍ以上に設けられている例である。
【００７２】
尻の表面に水返しのための突条１８、１９が衿から山１４にかけて２本設けられている。
そして、尻縁の突条１８の一部には外側を開放した凹部２０が２個設けられ、衿の表面に、尻から頭に向けて水返しのために突条２２が設けられている（図９を参照）。
【００７３】
また、衿の表面の突条２２の谷１６側であって、突条２２と平行になるように、尻から頭に向けて別の突条２３が設けられている。
この突条２３は水返しの目的のほかに、この桟瓦１０の衿側に重ねられる別の桟瓦１０の桟縁の位置決めと幅方向の妄動の抑制を図ることを意図しているものである（図９を参照）。
【００７４】
他方、図１０を参照して明らかなように、頭の裏面に水返しのための突条２４、２５が衿から桟に向けて２本設けられている。
これらの突条２４、２５は、この桟瓦１０の頭側を別の桟瓦１０の尻側に重ねたとき、この２本の突条２４、２５の間に、先に説明した別の桟瓦１０の尻寄りの表面に設けられた突条１９が配置されることにより雨水の浸入防止のほか、長さ方向の妄動抑制を図っているものである。
【００７５】
さらに、桟の裏面の頭から尻に向けて突条２６が設けられている。
また、尻側の裏面に一対の尻剣２７、２７が設けられ、尻剣２７の傍らに小さな突起２９が設けられている。
【００７６】
そこで、引続き、この発明の桟瓦１０の特徴について説明すると、略方形の頭側の切り込みＸに肉薄状であって、かつ差込片２８が桟瓦本体３０の裏面寄りに設けられている（図９、図１１および図１２を参照）。
この差込片２８の肉厚は一般的には桟瓦本体３０の肉厚の２分の１程度が適当であり、差込片２８の底面は桟瓦本体３０の裏面と同一面を形成している。
【００７７】
そして、この差込片２８の外縁３２は、頭側の切り込みＸ内において衿縁寄りの頭縁を延長させた頭側外縁部３２ａと、頭縁寄りの衿縁を延長させた衿側外縁部３２ｂと、さらに前記した頭側外縁部３２ａと衿側外縁部３２ｂとの間の突き合わせ縁部３２ｃとから構成されている（図９および図１２を参照）。
【００７８】
つまり、この差込片２８の外縁３２は、桟瓦１０の頭側の切り込みＸの範囲内に存在し、切り込みＸの範囲外に存在しないことを意味する。
【００７９】
図示した外縁３２は、頭側外縁部３２ａ、衿側外縁部３２ｂおよび突き合わせ縁部３２ｃによって形成され、頭側外縁部３２ａと衿側外縁部３２ｂとの間の突き合わせ縁部３２ｃは直線を描いているが、もとより直線に制限する趣旨ではなく、後述する被覆片３４の内縁３８のとほぼ対称であって、切り込みＸの範囲内であれば円弧、波形あるいは不定形を描くことは自由である。
【００８０】
他方、略方形の切り込みＹに肉薄の被覆片４０が桟瓦本体３０の表面寄りに設けられている（図１０および図１３を参照）。
この被覆片４０の肉厚は差込片２８と同様に一般的には桟瓦本体３０の肉厚の２分の１程度が適当であり、被覆片４０の表面は桟瓦本体３０の表面と同一面を形成している。
【００８１】
したがって、後述するように被覆片４０の下方に差込片２８が差込まれることにより、両者の肉厚は、桟瓦本体３０の肉厚と等しくなり、両者２８、４０の裏面と表面は、それぞれ桟瓦本体３０の表裏と同一面を形成するため、違和感を生ずることがない。
【００８２】
そして、被覆片４０の外縁４２は尻側の切り込みＹ内において桟縁寄りの尻縁を延長させた尻側外縁部４２ａと、尻縁寄りの桟縁を延長させた桟側外縁部４２ｂと、前記した尻側外縁部４２ａと桟側外縁部４２ｂとの間の突き合わせ縁部４２ｃとから構成されている。
【００８３】
つまり、この被覆片４０の外縁４２は、尻側の切り込みＹの範囲内に存在し、切り込みＹの範囲外に存在しないことを意味する。
【００８４】
図示した被覆片４０の外縁４２は、尻側外縁部４２ａおよび桟側外縁部４２ｂおよび突き合わせ縁部４２ｃによって形成され、突き合わせ縁部４２ｃが直線を描いているが、もとより直線に制限する趣旨ではなく、切り込みＹの範囲内であれば円弧、波形あるいは不定形を描くことは自由である。
【００８５】
差込片２８と桟瓦本体３０の境界を形成する内縁４４は被覆片４０の外縁４２にほぼ対応して設けられている。
前記した内縁４４は、被覆片４０の外縁４２を構成する尻側外縁部４２ａ、桟側外縁部４２ｂおよび突き合わせ縁部４２ｃにほぼ対応した横内縁部４４ａ、縦内縁部４４ｂ、被突き合わせ内縁部４４ｃから構成されている（図１２を参照）。
【００８６】
そして、被覆片４０と桟瓦本体３０の境界を形成する内縁４６は差込片２８の外縁３２にほぼ対応して設けられている。
【００８７】
したがって、被覆片４０の内縁４６は差込片２８の外縁３２を構成する頭側外縁部３２ａ、衿側外縁部３２ａおよび突き合わせ外縁部３２ｃにほぼ対応した横内縁部４６ａ、縦内縁部４６ｂおよび被突き合わせ内縁部４６ｃから構成されている（図１３を参照）。
【００８８】
これらの内縁４４、４６の被突き合わせ内縁部４４ｃ、４６ｃは、被覆片４０の下方に差込片２８を差し込んだときに、被覆片４０の被突き合わせ内縁部４４ｃに差込片２８の突き合わせ外縁部３２ｃが当接することやまた差込片２８の被突き合わせ内縁部４６ｃに被覆片４０の突き合わせ外縁部４２ｃが当接することあるいは、これらの突き合わせ外縁部３２ｃ、４２ｃが差込片２８、被覆片４０に位置する条件を満たせば、その形状は問わない。
【００８９】
差込片２８の外縁３２を構成する頭側外縁部３２ａおよび衿側外縁部３２ｂを得るため、頭側の切り込みＸ内において衿縁寄りの頭縁を、また頭縁寄りの衿縁をそれぞれ延長させている理由は次のとおりである。
【００９０】
差込片２８の内縁４４と被覆片４０の外縁４２が当接されるものの、依然として両縁４４、４２間に間隙が生ずることは否定できない。
したがって、雨水はこの間隙を通じて差込片２８の表面に浸入することも否定できない。
【００９１】
この場合、差込片２８は、被覆片４０の下方に位置することにより、浸入する雨水の受け皿の役割も果たすことになるから、本来的にはその面積は広いことが所望されるものの、頭側の切り込みＸ全体を占めるような大きさにすれば（方形状にする例）、先願について説明したとおり、桟瓦１０の生産工程上において差込片２８が損傷を受けるなどのおそれがある。
【００９２】
他方、頭側外縁部３２ａと衿側外縁部３２ｂを省略した場合、差込片２８の外縁３２が頭縁と衿縁を直接結んだものであって、つまり差込片２８が略三角形を呈することになるが、このようにすれば、衿縁寄りの頭縁と桟縁寄りの尻縁には雨水の受け皿となる差込片２８の一部が存在しないことになり、とくに衿縁に向けて浸入してくる雨水に対する受皿となる部分がないため、野地材Ｎに達するおそれがある。
【００９３】
次に桟瓦１０の組み合わせについて説明すると、一般的に多数の桟瓦１０群によって構成されるものの、その基本は以下に説明するように４枚の桟瓦１０により、従来例と基本的に同じ手段によって行われる。
【００９４】
そこで、少なくとも４枚の桟瓦１０ａ、１０ｂ、１０ｃ、１０ｄを用意し、図１１、図１４および図１５を参照して明らかなように、第１の桟瓦１０ａの衿側上に第２の桟瓦１０ｂの桟側を重ねることにより、桟と衿とに重ね部４８が形成される。
【００９５】
この発明は、前記した桟と衿とによる重ね部４８（弯曲された桟の裏面と衿の表面による重合による組合わせ）の面積を減少させることは桟瓦１０の形態から困難性が高いため、桟瓦１０の有効活用面積の増加を図ろうとするものではなく、頭と尻とによる重ね部５０の面積を減少させることにより、桟瓦１０の有効活用面積の増加を図ろうとするものであるから、この重ね部４８の幅は、従来例の桟瓦Ｗの重ね部Ｓｍの幅と同じである。
なお、この発明は、桟と衿とによる重ね部４８の活用面積を広くしようとするものではなく、桟と衿とによる重ね部４８の活用については従来例と比較して変化しないことを念のため明らかにする。
【００９６】
そして、第１の桟瓦１０ａの尻側に第３の桟瓦１０ｃの頭側が重ねられるとともに、第２の桟瓦１０ｂの被覆片４０の下方に第３の桟瓦１０ｃの差込片２８が差し込まれ、第２の桟瓦１０ｂの尻側に第４の桟瓦１０ｄの頭側が重ねられ、第３の桟瓦１０ｃの衿側に第４の桟瓦１０ｄの桟側を重ねる。
【００９７】
よって、第１の桟瓦１０ａと第３の桟瓦１０ｃの頭と尻による重なりにより、重ね部５０が形成される。
そして、この重ね部５０の長さは、差込片２８あるいは被覆片４０の長さ方向の長さにほぼ相当している。
【００９８】
ところで、従来例の桟瓦Ｗにおいては、第３の桟瓦Ｗｃの頭が第２の桟瓦Ｗｂの尻側の切り込みＹｂより頭側に臨み、第３の桟瓦Ｗｃの頭側の切り込みＸｃと第２の桟瓦Ｗｂの尻側の切り込みＹｂが嵌合され、第１の桟瓦Ｗａの尻側と第３の桟瓦Ｗｃの頭側により重ね部Ｓｎが形成され、この重ね部Ｓｎの長さは、切り込みＸｃの縦辺Ｘｖと切り込みＹｂの縦辺Ｙｖを加算した長さに相当する。
【００９９】
これに対して、この発明の実施の形態における桟瓦１０の差込片２８および被覆片４０の長さおよび幅をそれぞれ従来例の桟瓦Ｗの切込みＸ、Ｙの縦辺Ｘｖ、Ｙｖと同じ寸法にすれば、頭と尻とによる重ね部５０の長さが従来例の桟瓦Ｗと比較して半減することは明らかであり、結局、頭と尻とによる重なり部５０の面積が２分の１に減少することになる。
【０１００】
また、第２の桟瓦１０ｂの尻側と第４の桟瓦Ｗｄの頭側により、別の重ね部５０が形成されるが、この重ね部５０の長さもまた前記した第１の桟瓦１０ａと第３の桟瓦１０ｃによって構成される重ね部５０の長さに等しく形成される。
【０１０１】
因みに、この発明の実施の形態による桟瓦Ｗと従来品の桟瓦の形状寸法、そして単位面積（３．３平方メートル）当たりの葺き数を対比すると「表２」に示すとおりである。
【０１０２】
【表２】
0003552009.tif 000003
【０１０３】
「表２」を参照すると明らかなとおり、一般的に広く採用される桟瓦としてたとえば、寸法区分により５３Ａ版と称される従来の瓦の場合では、単位面積当たり５３枚を必要としたものが、この発明の実施の形態の桟瓦の場合では、４６枚で足り、１３％以上その必要枚数を減ずることができたことが示されている。
さらに、桟瓦の大きさが小さい形態になるにしたがって、一層単位面積当たりの桟瓦の必要枚数を従来例と比較して減少することも明らかになったことを示している。
【０１０４】
また、前記したように４枚の桟瓦１０ａ、１０ｂ、１０ｃ、１０ｄが組み合わせられることにより、第３の桟瓦１０ｃの差込片２８と第２の桟瓦１０ｂの被覆片４０との間に浸入経路５２が階段状に形成される（図１４を参照）。
【０１０５】
そして、この浸入経路５２は、第２および第３の桟瓦１０ｂ、１０ｃの表面から第３の桟瓦１０ｃの差込片２８の表面に向かう第１の垂直経路５４、第１の垂直経路５４から引き続いて軒側に向かうとともに垂直経路５２に対してほぼ直角方向に設けられた水平経路５６、水平経路５６に引続きしかも直角方向であって第１の桟瓦１０ａに向かう第２の垂直経路５８から構成される（図１４を参照）。
【０１０６】
したがって、強風などに伴って第１の垂直経路５４に浸入した雨水は、水平経路５６および第２の垂直経路５８へ誘導され、雨水が第１の桟瓦１０ａ側に達するまでにその勢いが著しく減じられるので、雨水が逆流して野地材Ｎ側へ浸入させないように配慮されている。
【０１０７】
さらに、差込片２８には衿側外縁部３２ｂが設けられ、被覆片４０には桟側外縁部４２ａが設けられているので、差込片２８を被覆片４０の下方に差し込むことにより、切り込みＸ、Ｙ内には雨水を受ける二層の受皿となる部分が形成される。
【０１０８】
したがって、これらの切り込みＸ、Ｙに浸入した雨水は、まず被覆片４０によって第１の桟瓦１０ａの谷側に確実に誘導され、仮に被覆片４０の外縁４２側から被覆片４０の下方へ雨水が浸入しても、被覆片４０下方には差込片２８が存在し、かつ衿側外縁部３２ｂが設けられているので、切り込みＸ、Ｙを越えて衿側に浸入することがなく、第１の桟瓦１０ａの谷側に確実に誘導されるので、野地材Ｎ側を損傷させることがない。
【０１０９】
このことは、従来の桟瓦Ｗにおいて第２の桟瓦Ｗｂの切り込みＹｂの縦辺Ｙｖと第３の桟瓦Ｗｃの頭側の衿縁との当接部分に達する雨水が縦辺Ｙｂと衿縁の当接部分に入り込み、第１の桟瓦Ｗａの衿縁を通じて野地材Ｎに至り、野地材Ｎ側を損傷させるという問題を解消したことにほかならない。
【０１１０】
なお、この発明に係る桟瓦１０を粘土により製造する場合、前記した課題の解決のほかに、次の製造工程上の有利性をも有するのでこの点について言及する。
【０１１１】
粘土瓦の製造は、乾燥後の瓦素地を焼成する際に、尻を底面としていわゆる焼成台車の棚上に起立させて行われることが一般的に知られている。
この場合、桟瓦は谷と桟との構成から断面略円弧状に形成され、一般的に尻側には尻剣が設けられていることと相待って起立させることが可能ではあった。
【０１１２】
しかし、起立させることが可能であるとしても、尻側の切込みによる空所が形成されている。
したがって、切り込みを備えた桟瓦の尻側を底面として焼成台車の棚上に起立させることは依然として不安定性が残存するものの、解消されないまま焼成台車を利用して焼成されているのが実情である。
このため、焼成台車の走行中の揺動などにより桟瓦が転倒するおそれがあり、生産技術上の問題であった。
【０１１３】
これに対してこの発明は、前記の問題点の解決を行うことができるようにするため、先に説明したように、桟瓦１０の尻側の切り込みＹに被覆片４０が設けられており、この被覆片４０の外縁４２の一部である尻側外縁部４２ａは尻縁を桟縁に向けて延長されることにより形成されているから、従来の桟瓦の切込みによる空所が低減する。
【０１１４】
したがって、従来例では、空所が存在することにより、尻側を底面として起立させる場合、尻の面積が桟瓦の幅方向の断面に比較して少なくなり、不安定要素を構成したが、被覆片４０が設けられることにより、空所をほぼ埋めることになるため、起立面となる尻の面積が増加し、不安定要素を低減するので、従来発生するおそれがあった転倒の問題を解消する利点も有する。
【図面の簡単な説明】
【図１】発明の実施の形態その１の概略を示す桟瓦の頭側の差込片と尻側の被覆片の要部拡大平面図である。
【図２】その２の同要部拡大平面図である。
【図３】その３の同要部拡大平面図である。
【図４】その４の同要部拡大平面図である。
【図５】その５の同要部拡大平面図である。
【図６】その６の同要部拡大平面図である。
【図７】その７の同要部拡大平面図である。
【図８】その８の同要部拡大平面図である。
【図９】実施例に係る桟瓦の表面斜視図である。
【図１０】図９の裏面斜視図である。
【図１１】４枚の桟瓦による瓦屋根の組み合わせ構造を示す平面図である。
【図１２】図９の差込片付近の要部拡大平面図である。
【図１３】図１０の被覆片付近の要部拡大平面図である。
【図１４】図１１における矢印Ｐ−Ｐ線の縦断面図である。
【図１５】図１５は図１１における矢印Ｑ−Ｑ線の縦断面図である。
【図１６】表２における実施の形態の桟瓦の各寸法を示す参考図である。
【図１７】表２における従来品の桟瓦の各寸法を示す参考図である。
【図１８】従来例の桟瓦の表面斜視図である。
【図１９】従来例の桟瓦４枚による瓦屋根の組み合わせ構造を示す平面図である。
【図２０】図１９における矢印Ｖ−Ｖ線の縦断面図である。
【符号の説明】
２８    差込片
３０    桟瓦本体
３２    差込片の外縁
３２ａ  差込片の頭側外縁部
３２ｂ  差込片の衿側外縁部
３２ｃ  差込片の突き合わせ縁部
３２ｄ  差込片の頭縁部
４０    被覆片
４２    被覆片の外縁
４２ａ  被覆片の尻側外縁部
４２ｂ  被覆片の桟側外縁部
４２ｃ  被覆片の突き合わせ縁部
４２ｄ  被覆片の桟縁部
４４    差込片と桟瓦本体の境界を形成する内縁
４６    被覆片と桟瓦本体の境界を形成する内縁
【図１】
0003552009.tif 000004
【図２】
0003552009.tif 000005
【図３】
0003552009.tif 000006
【図４】
0003552009.tif 000007
【図５】
0003552009.tif 000008
【図６】
0003552009.tif 000009
【図７】
0003552009.tif 000010
【図８】
0003552009.tif 000011
【図９】
0003552009.tif 000012
【図１０】
0003552009.tif 000013
【図１１】
0003552009.tif 000014
【図１２】
0003552009.tif 000015
【図１３】
0003552009.tif 000016
【図１４】
0003552009.tif 000017
【図１５】
0003552009.tif 000018
【図１６】
0003552009.tif 000019
【図１７】
0003552009.tif 000020
【図１８】
0003552009.tif 000021
【図１９】
0003552009.tif 000022
【図２０】
0003552009.tif 000023